(57)【要約】【課題】装着互換性を実現するための互換キー部材が折損したり失われた場合にトナー容器の装着を不能にすることが可能な画像形成装置、及びトナー容器を提供する。【解決手段】容器装着部４２に被係合部９０が設けられ、トナー容器４１に連結部８０が設けられている。連結部８０は、突起８８、複数の互換キー８１を有する。被連結部９０は、突起８８が挿入可能な係合孔９６、互換キー８１が挿入可能な貫通孔を有する。貫通孔に変位部材１００が取り付けられており、変位部材１００は、互換キー８１の挿入に応じて、係合孔９６への突起８８の挿入を阻止する第１位置と、突起８８の挿入を許容する第２位置との間で変位可能に構成されている。【選択図】図８
2018091926.tif 000002
【特許請求の範囲】
【請求項１】
先端に連結部を有するトナー容器と、
予め定められた装着位置へ向けて挿入される前記トナー容器を支持可能に構成され、前記装着位置で前記トナー容器を装着可能な容器装着部と、を備え、
前記容器装着部は、前記トナー容器が前記容器装着部に装着された状態で前記連結部と連結可能な被連結部を有し、
前記連結部は、
前記装着位置へ向かう挿入方向へ突出する突出部と、
前記挿入方向へ突出する互換キー部材と、を有し、
前記被連結部は、
前記連結部との連結時に前記突出部が挿入可能な第１挿入口と、
前記連結部との連結時に前記互換キー部材が挿入可能な第２挿入口と、
前記第２挿入口に変位可能に設けられ、非連結状態で前記第１挿入口の内側へ突出して前記突出部の挿入を阻止する第１位置と、連結時に前記第２挿入口に前記互換キー部材が挿入されたことにより前記互換キー部材によって押圧されて前記第１挿入口から退避して前記突出部の挿入を許容する第２位置との間で変位可能な変位部材と、を有する画像形成装置。
【請求項２】
前記変位部材は、前記第１位置で前記第１挿入口の内側へ突出し、前記第２位置で前記第１挿入口から退避するストッパー部と、前記ストッパー部を前記第１挿入口の内側へ向かう方向へ弾性付勢する弾性部と、を有する請求項１に記載の画像形成装置。
【請求項３】
前記被連結部は、前記互換キー部材が挿入可能な複数の前記第２挿入口を有し、
前記連結部は、連結時に前記複数の第２挿入口のうちの少なくとも一つに挿入される前記互換キー部材を有し、
前記変位部材は、前記互換キー部材が挿入される前記第２挿入口だけに設けられている請求項１又は２に記載の画像形成装置。
【請求項４】
前記連結部は、前記複数の第２挿入口の総数よりも少ない複数の前記互換キー部材を有する請求項３に記載の画像形成装置。
【請求項５】
前記複数の互換キー部材は、前記連結部において前記突出部の周囲に配置されており、
前記複数の第２挿入口は、前記被連結部において前記第１挿入口の周囲に配置されている請求項４に記載の画像形成装置。
【請求項６】
前記互換キー部材は、前記連結部において前記トナー容器の種類に応じて予め定められた特定位置に設けられており、
前記互換キー部材が挿入される前記第２挿入口は、前記被連結部において前記特定位置に対応する対応位置に設けられている請求項１から５のいずれかに記載の画像形成装置。
【請求項７】
前記複数の第２挿入口のうち、連結時に前記互換キー部材が挿入されない前記第２挿入口に設けられ、当該第２挿入口を閉塞して他の部材の挿入を阻止する当接部を更に備える請求項３又は４に記載の画像形成装置。
【請求項８】
前記互換キー部材は、前記連結部において前記トナー容器の種類に応じて予め定められた特定位置に設けられており、
前記互換キー部材が挿入される前記第２挿入口は、前記被連結部において前記特定位置に対応する対応位置に設けられており、
前記当接部は、別種類の前記トナー容器が前記容器装着部に挿入された場合に、前記対応位置の前記第２挿入口への前記別種類のトナー容器が有する前記互換キー部材の挿入を阻止する請求項７に記載の画像形成装置。
【請求項９】
画像形成装置の容器装着部に着脱可能に構成され、先端に連結部を有するトナー容器であって、
前記容器装着部は、前記トナー容器が前記容器装着部に装着された状態で前記連結部と連結可能な被連結部を有し、
前記被連結部は、
第１挿入口と、
前記第１挿入口とは異なる第２挿入口と、
前記第２挿入口に変位可能に設けられ、非連結状態で前記第１挿入口の内側へ突出する第１位置に配置され、連結状態で前記第１挿入口から退避する第２位置に配置される変位部材と、を有し、
前記連結部は、
前記容器装着部における前記トナー容器の装着位置へ向かう挿入方向へ突出し、連結時に前記第１挿入口に挿入可能な突出部と、
前記挿入方向へ突出し、連結時に前記第２挿入口に挿入可能な互換キー部材と、を有し、
前記互換キー部材は、連結時に前記第２挿入口に挿入されることにより前記変位部材を押圧して前記第２位置に移動させて前記第１挿入口に対する前記突出部の挿入を許容するよう構成されているトナー容器。
【発明の詳細な説明】
【技術分野】
【０００１】
本発明は、装着互換性を有するトナー容器を着脱可能に支持する容器装着部を備える画像形成装置、画像形成装置に装着可能なトナー容器に関する。
【背景技術】
【０００２】
電子写真方式の画像形成装置には現像装置が搭載されている。現像装置の内部にはトナーを含む現像剤が収容されている。画像形成装置は、トナー容器が装着される容器装着部を有しており、前記トナー容器が前記容器装着部に装着されると、前記トナー容器から前記現像装置にトナーが補給可能となる。
【０００３】
従来、現像装置に不適合なトナーが補給されないように、装着互換性を有するトナー容器だけが前記容器装着部に装着可能な非互換構造を備えた画像形成装置が知られている（特許文献１参照）。この種の画像形成装置は、前記容器装着部に装着可能なトナー容器に対応する本体側互換キーが前記容器装着部に設けられている。一方、トナー容器には、当該トナー容器に対応する容器装着部の前記本体側互換キーだけに係合可能であり、他の容器装着部には係合不能な容器側互換キーが設けられている。
【先行技術文献】
【特許文献】
【０００４】
【特許文献１】特開２０１２−１８３７７号公報
【発明の概要】
【発明が解決しようとする課題】
【０００５】
しかしながら、従来の非互換構造は、前記トナー容器の前記容器側互換キーが折損するなどして失われた場合に、そのトナー容器が他の容器装着部に挿入されると、前記本体側互換キーがトナー容器に干渉することができず、トナー容器の装着を許容する場合がある。この場合、画像形成装置は、そのトナー容器が不適合なトナーを含む不適合なトナー容器なのか、それとも正常なトナー容器なのかを識別することができない。このため、不適合なトナー容器が装着された状態で画像形成動作が行われると、画像形成部に不適合なトナーが供給されることになり、印刷不良が生じるおそれがある。
【０００６】
本発明の目的は、装着互換性を実現するための互換キー部材が折損したり失われた場合にトナー容器の装着を不能にすることが可能な画像形成装置、及びトナー容器を提供することにある。
【課題を解決するための手段】
【０００７】
本発明の一の局面に係る画像形成装置は、先端に連結部を有するトナー容器と、容器装着部と、を備える。前記容器装着部は、予め定められた装着位置へ向けて挿入される前記トナー容器を支持可能に構成され、前記装着位置で前記トナー容器を装着可能に構成されている。前記容器装着部は、前記トナー容器が前記容器装着部に装着された状態で前記連結部と連結可能な被連結部を有する。前記連結部は、前記装着位置へ向かう挿入方向へ突出する突出部と、前記挿入方向へ突出する互換キー部材と、を有する。前記被連結部は、前記連結部との連結時に前記突出部が挿入可能な第１挿入口と、前記連結部との連結時に前記互換キー部材が挿入可能な第２挿入口と、変位部材と、を有する。前記変位部材は、前記第２挿入口に変位可能に設けられ、非連結状態で前記第１挿入口の内側へ突出して前記突出部の挿入を阻止する第１位置と、連結時に前記第２挿入口に前記互換キー部材が挿入されたことにより前記互換キー部材によって押圧されて前記第１挿入口から退避して前記突出部の挿入を許容する第２位置との間で変位可能に構成されている。
【０００８】
本発明の他の局面に係るトナー容器は、画像形成装置の容器装着部に着脱可能に構成され、先端に連結部を有する。前記容器装着部は、前記トナー容器が前記容器装着部に装着された状態で前記連結部と連結可能な被連結部を有する。前記被連結部は、第１挿入口と、前記第１挿入口とは異なる第２挿入口と、変位部材と、を有する。前記変位部材は、前記第２挿入口に変位可能に設けられ、非連結状態で前記第１挿入口の内側へ突出する第１位置に配置され、連結状態で前記第１挿入口から退避する第２位置に配置される。前記連結部は、前記容器装着部における前記トナー容器の装着位置へ向かう挿入方向へ突出し、連結時に前記第１挿入口に挿入可能な突出部と、前記挿入方向へ突出し、連結時に前記第２挿入口に挿入可能な互換キー部材と、を有する。前記互換キー部材は、連結時に前記第２挿入口に挿入されることにより前記変位部材を押圧して前記第２位置に移動させて前記第１挿入口に対する前記突出部の挿入を許容するよう構成されている。
【発明の効果】
【０００９】
本発明によれば、装着互換性を実現するための互換キー部材が折損したり失われた場合にトナー容器の装着を不能にすることが可能である。
【図面の簡単な説明】
【００１０】
【図１】図１は、本発明の実施形態に係る画像形成装置の構成を示す図である。
【図２】図２は、画像形成装置が備えるトナー補給装置を示す斜視図である。
【図３】図３は、トナー補給装置に着脱可能なトナー容器を示す斜視図である。
【図４】図４は、トナー容器のカバー部材及び連結部を示す拡大斜視図である。
【図５】図５は、トナー容器のカバー部材の内部構造を示す断面図である。
【図６】図６は、トナー容器のカバー部材を示す正面図である。
【図７】図７は、トナー補給装置が備える連結支持部を示す正面図である。
【図８】図８は、連結支持部が備える被連結部を示す斜視図である。
【図９】図９は、被連結部を示す正面図である。
【図１０】図１０（Ａ）〜（Ｃ）は、変位部材の構成を示す図である。
【図１１】図１１は、非連結状態の連結部及び被連結部を示す断面図である。
【図１２】図１２（Ａ）及び（Ｂ）は、連結過程の連結部及び被連結部を示す断面図であり、（Ａ）は、互換キーが変位部材に当接した状態が示されており、（Ｂ）は、変位部材が第２位置に移動した状態が示されている。
【図１３】図１３（Ａ）は、不適合なトナー容器が装着されたときの連結部及び被連結部の連結状態を示す断面図であり、図１３（Ｂ）は、互換キーが折損したトナー容器が装着されたときの連結部及び被連結部の連結状態を示す断面図である。
【発明を実施するための形態】
【００１１】
以下、添付図を参照しながら、本発明の実施形態について説明する。以下の実施形態は、本発明を具体化した一例であって、本発明の技術的範囲を限定するものではない。なお、説明の便宜上、画像形成装置１０が使用可能な設置状態（図１に示す状態）で鉛直方向を上下方向Ｄ１と定義する。また、画像形成装置１０に対してトナー容器４１が挿入される側を手前側（正面側）として前後方向Ｄ２を定義する。また、画像形成装置１０を手前側（正面側）から見て左右方向Ｄ３を定義する。
【００１２】
［画像形成装置］
画像形成装置１０は、少なくとも印刷機能を備えた装置であり、例えば、カラープリンターである。画像形成装置１０は、トナーを含む現像剤を用いて、シート部材である印刷用紙に画像を印刷する。画像形成装置１０の具体例は、例えばプリンターや複写機、ファクシミリ、又は、これらの各機能を備えた複合機である。また、画像形成装置１０は、カラー画像を形成可能なものであるが、トナー容器４１を用いるものであれば、モノクロの画像を形成可能に構成されたものであってもよい。
【００１３】
図１に示されるように、画像形成装置１０は、いわゆるタンデム方式のカラー画像形成装置である。画像形成装置１０は、複数の画像形成部１〜４と、中間転写ユニット５と、露光装置１４と、二次転写装置１５と、定着装置１６と、トナー補給装置４０と、ベルトクリーニング装置６と、タッチパネルや液晶表示部などを有する操作表示部９と、制御部８と、給紙トレイ１７と、排紙トレイ１８とを備えている。これらの構成要素は、画像形成装置１０の外部フレーム（不図示）や内部フレームなどを構成する筐体１１に取り付けられている。
【００１４】
画像形成部１〜４は、並設された複数の感光体ドラム２１それぞれに色の異なるトナー像を所謂電子写真方式によって形成する。前記トナー像は、走行中（移動中）の中間転写ベルト５Ａに順次重ね合わさるように転写される。図１に示される例では、中間転写ベルト５Ａの移動方向（矢印１９方向）の下流側から順に、黒色用の画像形成部１、イエロー用の画像形成部２、シアン用の画像形成部３、及びマゼンタ用の画像形成部４がその順番で一列に配置されている。
【００１５】
画像形成部１〜４それぞれは、中間転写ベルト５Ａの下側に設けられている。画像形成部１〜４それぞれは、トナー像を担持する感光体ドラム２１、帯電装置２２、現像装置２３、一次転写装置２４等を備えている。感光体ドラム２１の表面は帯電装置２２によって帯電され、露光装置１４によって帯電された感光体ドラム２１の表面が露光走査される。これにより、感光体ドラム２１の表面に静電潜像が形成される。現像装置２３は、前記静電潜像をトナーによって現像する。そして、一次転写装置２４によって、感光体ドラム２１上のトナー像が中間転写ベルト５Ａに転写される。
【００１６】
中間転写ユニット５は、中間転写ベルト５Ａと、駆動ローラー７Ａと、従動ローラー７Ｂとを有する。中間転写ベルト５Ａは、複数色（本実施形態では４色）のトナー像からなるトナー像を担持する。中間転写ベルト５Ａは、駆動ローラー７Ａ及び従動ローラー７Ｂによって回転駆動可能に支持されることにより、その表面が各感光体ドラム２１の表面に接しながら移動可能となる。中間転写ベルト５Ａが回転駆動されると、その表面が感光体ドラム２１と一次転写装置２４との間を通過する。その際に、複数の感光体ドラム２１に担持された各色のトナー像が重ね合わさるように順に中間転写ベルト５Ａに転写される。
【００１７】
中間転写ユニット５の上方にトナー補給装置４０が設けられている。トナー補給装置４０は、黒、シアン、イエロー、マゼンタの各色に対応する４つのトナー容器４１が装着される容器装着部４２を有している。容器装着部４２は、トナー容器４１を着脱可能に構成されている。トナー補給装置４０の構成については後述する。
【００１８】
二次転写装置１５は、中間転写ベルト５Ａに転写されたトナー像を給紙トレイ１７から搬送されてきた印刷用紙に転写する。トナー像が転写された印刷用紙は、図示しない搬送部によって定着装置１６に搬送される。定着装置１６は、加熱ローラー１６Ａと加圧ローラー１６Ｂとを有する。定着装置１６は、トナー像が転写された印刷シートに対して熱と圧力を加えながら搬送する。これにより、トナー像が溶融して印刷シートに定着される。トナー像が定着された印刷シートは、更に下流側へ搬送されて、中間転写ユニット５の上方に配置されたトレイ状の排紙トレイ１８に排出されて保持される。
【００１９】
ベルトクリーニング装置６は、中間転写ベルト５Ａの表面に残存した廃トナーを除去して回収し、回収した廃トナーを廃トナー容器７９に排出する。
【００２０】
制御部８は、画像形成装置１０における画像形成動作を統括的に制御する。制御部８は、ＣＰＵ、ＲＯＭ、ＲＡＭなどを有する。
【００２１】
［トナー補給装置］
以下、図２乃至図７を参照して、トナー補給装置４０について説明する。図２に示されるように、トナー補給装置４０は、トナー容器４１と、トナー容器４１が装着される容器装着部４２とにより構成されている。なお、各図では、筐体１１にトナー補給装置４０が取り付けられた取付姿勢を基準にして、鉛直方向を上下方向Ｄ１とし、筐体１１に対するトナー容器４１の着脱方向（挿抜方向）を前後方向Ｄ２とし、トナー補給装置４０の前面から見て水平方向を左右方向Ｄ３としている。また、トナー容器４１の挿入方向を符号Ｄ２１で示し、取り外し方向を符号Ｄ２２で示す。
【００２２】
トナー容器４１は、現像装置２３に補給するためのトナーを収容する。本実施形態では、黒、イエロー、シアン、マゼンタの各色に対応する４つのトナー容器４１がトナー補給装置４０に設けられている。なお、黒色用のトナー容器４１は、他の色のトナー容器４１に比べて外径が大きく形成されているが、この点を除き、全てのトナー容器４１は同じ構成である。以下、特筆しない限り、黒色用のトナー容器４１について説明する。
【００２３】
図３に示されるように、トナー容器４１は、前後方向Ｄ２に長い形状に形成されている。トナー容器４１は、容器本体５２、駆動伝達部５５、カバー部材５６などを有する。容器本体５２の内部はトナーを収容可能な収容空間である。容器本体５２の内部にトナーが収容されている。容器本体５２は、一方側（後方側）にトナーの流出入が可能な開口部５１（図５参照）を有している。開口部５１は、トナー補給装置４０に対するトナー容器４１の挿入方向Ｄ２１側（後方側）の端部に形成されている。内部に収容されたトナーは、開口部５１から外部に流出可能である。容器本体５２は、他方側（前方側）が閉塞された円筒形状に形成されている。
【００２４】
容器本体５２の後方側の端部は前記挿入方向Ｄ２１へ向けて先細り形状に形成されている。容器本体５２の前記挿入方向Ｄ２１側の後端部に開口部５１が設けられている。開口部５１は、断面円形状に形成されている。容器本体５２は、例えばポリエチレンテレフタラート（ＰＥＴ樹脂）などの合成樹脂として、ブロー成形法又はインジェクション成形法によって形成される。
【００２５】
容器本体５２は、内面に螺旋形状の山形リブ５３（図３参照）が形成されている。山形リブ５３は容器本体５２の内面から容器本体５２の中心へ向けて突出している。この山形リブ５３は、容器本体５２内のトナーを開口部５１（図５参照）側へ搬送する役割を担う。
【００２６】
図４に示されるように、容器本体５２の開口部５１側には、駆動伝達部５５が装着されている。駆動伝達部５５は、容器本体５２に固定されている。駆動伝達部５５は、周面にギヤ５４が形成された環状の部材である。駆動伝達部５５は、容器本体５２において開口部５１側の端部に嵌め入れられて、その外周面に固定されている。駆動伝達部５５は、モーターなどの駆動源から回転駆動力を受けて、トナー容器４１に回転駆動力を伝達する。
【００２７】
容器本体５２において、駆動伝達部５５よりも前記挿入方向Ｄ２１側（後方側）にカバー部材５６が設けられている。カバー部材５６は、開口部５１を覆うものであり、容器本体５２の前記挿入方向Ｄ２１側の端部に取り付けられている。カバー部材５６は、熱可塑性を有する合成樹脂を射出成形などによって形成したものであり、合成樹脂製品である。
【００２８】
図５に示されるように、カバー部材５６は、容器本体５２に取り付けられた状態で、開口部５１（図５参照）が挿入される円筒形状の収容フレーム５８を有する。収容フレーム５８の内部に開口部５１が挿入されており、これにより、開口部５１が収容フレーム５８によって覆われる。収容フレーム５８は、開口部５１を周方向に回動可能に支持している。このため、収容フレーム５８に開口部５１が挿入された状態で、容器本体５２が周方向に回動可能である。
【００２９】
トナー容器４１が容器装着部４２（図２参照）に挿入されると、カバー部材５６が備える後述の連結部８０（図３参照）と、容器装着部４２が備える後述の被連結部９０（図７参照）とが連結し、トナー容器４１が容器装着部４２に定められた装着位置に装着される。連結部８０が被連結部９０に連結することによって、カバー部材５６は、トナー容器４１の周方向に固定される。本実施形態では、トナー容器４１が容器装着部４２に装着された状態で、カバー部材５６は前記周方向に回転できないが、容器本体５２は容器装着部４２内において前記周方向に回動可能に支持される。カバー部材５６の取り外し方向Ｄ２２側（前方側）の端部５６Ａは、駆動伝達部５５の後端部５５Ａ（図５参照）を外側から遊嵌している。このため、トナー容器４１が容器装着部４２に装着された状態で、ギヤ５４に回転駆動力が伝達されると、容器本体５２は、その回転駆動力によって矢印Ｄ１１（図３参照）に示す回転方向へ回転する。つまり、トナー容器４１は、現像装置２３にトナーを供給可能な状態で、その長手方向を回転中心として回転する。このようにトナー容器４１の容器本体５２が回転することによって、山形リブ５３により押されつつトナーが開口部５１側（後方側）へ搬送される。
【００３０】
図５に示されるように、カバー部材５６は、トナー排出口７４を有する。トナー排出口７４は、容器本体５２に収容されたトナーを外側へ排出するためのものであり、カバー部材５６の外周壁に設けられている。トナー排出口７４は、図５において、カバー部材５６の下側に設けられている。具体的に、トナー排出口７４は、カバー部材５６の外周壁を貫通する矩形状の貫通孔である。カバー部材５６の内部には、開口部５１とトナー排出口７４との間にトナー流通路７５が形成されている。トナー容器４１がトナー排出口７４を下側にして容器装着部４２（図２参照）に装着されると、容器本体５２の開口部５１からトナー流通路７５に移動したトナーは、トナー流通路７５を通って下方へ案内されて、トナー排出口７４に達する。そして、トナー排出口７４が開放されている場合はトナー排出口７４から下方外側へトナーが排出される。これにより、トナーが現像装置２３に補給される。一方、トナー排出口７４が閉塞されていた場合、トナーは排出されず、トナー流通路７５がトナーで満たされた状態となる。
【００３１】
図５に示されるように、カバー部材５６にスライド式の開閉部材７６が設けられている。開閉部材７６は、プレート形状の部材であり、容器本体５２の長手方向（前後方向Ｄ２）へスライド可能にカバー部材５６に支持されている。開閉部材７６は、容器装着部４２に対するトナー容器４１の位置に応じて、トナー排出口７４を開閉する。開閉部材７６は、トナー容器４１が容器装着部４２に装着されると、トナー排出口７４を開放する。具体的には、トナー容器４１が容器装着部４２に装着されると、その装着動作にともない容器装着部４２から押圧力を受けて開閉部材７６がトナー排出口７４を開放する開放位置まで移動される。図５では、開閉部材７６が前方側へ移動してトナー排出口７４を開放した状態が示されている。トナー容器４１が容器装着部４２から取り外されると、その取り外し動作にともない開閉部材７６は前記開放位置から後方へ移動してトナー排出口７４を閉塞する閉塞位置まで移動されて、トナー排出口７４を閉塞する。なお、容器装着部４２には、図示しない付勢部材が設けられており、前記開放位置から前記閉塞位置までの開閉部材７６の移動は、トナー容器４１の取り外し動作にともない前記付勢部材が開閉部材７６を相対的に後方へ移動させることにより行われる。
【００３２】
トナー容器４１は、その先端部に後述の連結部８０を有している。具体的には、図３に示されるように、トナー容器４１のカバー部材５６は、収容フレーム５８よりも前記挿入方向Ｄ２１側に連結部８０を一体に有している。
【００３３】
図２に示されるように、容器装着部４２は、４つの収容部４４（４４Ａ〜４４Ｄ）を有する収容ケース４３と、収容ケース４３の後背面に取り付けられた連結支持部４５とを備える。なお、図２では、連結支持部４５は二点鎖線で示されている。
【００３４】
収容ケース４３の各収容部４４には、予め定められた色のトナー容器４１が収容される。収容部４４は、収容部４４における装着位置へ向けてトナー容器４１を挿入可能に支持している。最も右端の収容部４４Ａは、黒色に対応するトナー容器４１が収容される。図２では、黒色用のトナー容器４１の後方側の一部が収容部４４に挿入された状態が示されている。収容部４４Ａの左側に配置された収容部４４Ｂ，４４Ｃ，４４Ｄは、それぞれ、イエロー、シアン、マゼンタに対応するトナー容器４１が収容される部分である。
【００３５】
連結支持部４５は、収容部４４に挿入されたトナー容器４１と連結してトナー容器４１を収容部４４における装着位置に位置決めするためのものである。連結支持部４５は、収容ケース４３とは別部材として構成されており、収容ケース４３や筐体１１内の内部フレームに取り付けられている。容器装着部４２の連結支持部４５に、４つの収容部４４に対応して、４つの被連結部９０（本発明の被連結部の一例）が設けられている。なお、容器装着部４２は、連結支持部４５と収容ケース４３とが一体に構成されたものであってもよい。
【００３６】
本実施形態では、画像形成装置１０に不適合なトナーを有するトナー容器４１が装着できないように構成されている。すなわち、画像形成装置１０は、装着互換性を有するトナー容器４１だけが、それに対応する収容部４４に装着可能に構成されている。言い換えると、各収容部４４は、装着互換性を有するトナー容器４１を択一的に装着可能とするものである。このため、トナー容器４１の前記挿入方向Ｄ２１の先端部に連結部８０が設けられており、また、連結支持部４５に被連結部９０が設けられている。トナー容器４１が収容部４４に挿入されて、トナー容器４１の連結部８０が被連結部９０に連結した場合に、トナー容器４１の装着が許容される。一方、被連結部９０にトナー容器４１の連結部８０が連結できない場合は、トナー容器４１の装着が禁止される。このように被連結部９０と連結部８０とによる装着互換性を実現する構造は、一般に、非互換性構造と称されている。
【００３７】
以下、連結部８０の構成について説明する。
【００３８】
図４に示されるように、連結部８０は、内部が空洞の円筒状のベース部５９を有する。なお、図４は、黒色に対応する収容部４４Ａに挿入される黒色用のトナー容器４１の連結部８０を示している。また、図４では、連結部８０だけが示されており、カバー部材５６の一部の図示が省略されている。以下、説明の便宜上、黒色のトナー容器４１をトナー容器４１Ａと表記し、それに設けられた連結部８０を連結部８０Ａと表記する。
【００３９】
ベース部５９の前記挿入方向Ｄ２１側の端面５９Ａには、端面５９Ａから突出するアーチ状のガイド壁６１が設けられている。ガイド壁６１は、端面５９Ａの下端部の中央に設けられている。このガイド壁６１によって囲まれた孔６０は、後述の収容部４４（図２参照）にトナー容器４１が装着されたときに、容器装着部４２が備えるコイルバネ（不図示）が挿通される部分である。
【００４０】
連結部８０Ａは、カバー部材５６に一体に形成されており、詳細には、カバー部材５６の成形時に一体に形成される。連結部８０Ａは、トナー容器４１Ａの前記挿入方向Ｄ２１の先端部に設けられている。黒色のトナー容器４１Ａに限られず、イエロー、シアン、マゼンタの各色に対応する各トナー容器４１にも連結部８０が設けられており、それぞれの連結部８０は、同じ形状に形成されている。以下、各色に対応する連結部８０を代表して、図４を用いて黒色に対応する連結部８０Ａについて詳細に説明する。
【００４１】
連結部８０Ａの端面５９Ａの中央に円柱形状の突起８８（本発明の突出部の一例）が一体に形成されている。突起８８は、端面５９Ａから前記挿入方向Ｄ２１へ向けて突出している。突起８８は、収容部４４にトナー容器４１が装着されて連結部８０Ａが容器装着部４２の連結支持部４５の被連結部９０Ａに連結されたときに、被連結部９０Ａに設けられた係合孔９６（本発明の第１挿入口の一例、図８参照）に挿入される。これにより、突起８８と係合孔９６とが係合して、収容部４４に定められた装着位置にトナー容器４１が位置決めされる。なお、収容部４４にトナー容器４１が装着されたときに前記コイルバネが圧縮されつつ孔６０に挿通されるため、前記コイルバネのバネ力によってトナー容器４１が外れないように、不図示のロック機構によって、収容部４４における前記装着位置でトナー容器４１はロックされる。
【００４２】
連結部８０Ａは、４つの互換キー８１（本発明の互換キー部材の一例）を有する。４つの互換キー８１それぞれは、黒色に対応する被連結部９０Ａに係合可能な位置に設けられている。互換キー８１は、端面５９Ａから前記挿入方向Ｄ２１側（つまり被連結部９０Ａ側）へ突出する突出部材である。４つの互換キー８１それぞれは、突起８８よりも長く形成されている。４つの互換キー８１は、トナー容器４１Ａが容器装着部４２の収容部４４Ａに装着された装着状態で、被連結部９０が備える後述の干渉部材１０１（本発明の当接部の一例、図９参照）に当接しない位置に形成されている。
【００４３】
本実施形態では、図６に示されるように、互換キー８１の配置可能な位置として、突起８８を中心とする円の円周上に位置Ｐ１〜Ｐ８が定められている。位置Ｐ１〜Ｐ８は、各トナー容器４１それぞれの連結部８０において同じ位置であり、突起８８を基準にして等角度間隔を隔てて前記円周上に定められている。つまり、位置Ｐ１〜Ｐ８は、連結部８０Ａにおいて前記円周上に沿って円弧状に配置されている。図６に示される例では、端面５９Ａにおいて、ガイド壁６１からＣＣＷ方向（反時計回転方向）に隣接して位置Ｐ１が定められており、その位置Ｐ１から前記ＣＣＷ方向へ等角度間隔で位置Ｐ２〜Ｐ８が定められている。図６に示されるように、位置Ｐ１〜Ｐ８は、突起８８の中心を通る鉛直線を基準に左右対象となるように定められている。トナー容器４１Ａにおいて、４つの互換キー８１は、位置Ｐ１〜Ｐ８のうち、位置Ｐ１，Ｐ３，Ｐ５，Ｐ７に設けられている。言い換えると、４つの互換キー８１は、連結部８０Ａの端面５９Ａにおいて突起８８を囲むように突起８８の周囲に配置されている。
【００４４】
４つの互換キー８１それぞれは、その先端部にテーパー部８２が形成されている。テーパー部８２は、互換キー８１の先端部において径方向外側の角部に形成されている。
【００４５】
なお、イエロー、シアン、マゼンタの各色に対応する各トナー容器４１の連結部８０も、それぞれ同じ位置に４つの互換キー８１が設けられている。
【００４６】
連結部８０において、４つの互換キー８１が設けられた位置は、トナー容器４１の種類に応じて予め定められた位置であり、本発明の特定位置に相当する。一般に、画像形成装置１０においては、画像形成装置１０が使用される国や地域ごとに適したトナーを用いて画像形成することにより、良好な画質を得ることができる。そのため、画像形成装置１０の使用地域（以下「仕向地」ともいう。）における環境（例えば温度、湿度、使用される用紙の種類）に応じた種類のトナーがトナー容器４１に収容されて、各仕向地へ向けて出荷される。一方、前記使用地域に対応していないトナー容器４１が装着された場合は、画像形成装置１０において、良好な画質を得ることができない場合がある。そのため、本実施形態では、トナー容器４１の連結部８０の４つの互換キー８１は、前記仕向地に応じて予め定められた位置に設けられている。
【００４７】
以下、連結支持部４５及び被連結部９０の構成について説明する。
【００４８】
図７に示されるように、連結支持部４５は、収容ケース４３の後背面に装着可能なフレーム９１を有する。フレーム９１は、左右方向Ｄ３に長い形状に形成されている。フレーム９１の前方側の取付面９２に４つの被連結部９０（９０Ａ〜９０Ｄ）と、３つの駆動伝達部９３（９３Ａ〜９３Ｃ）と、が取り付けられている。
【００４９】
４つの被連結部９０は、フレーム９１の長手方向に一直線上に並んで配置されている。最も右端の被連結部９０Ａは、黒色用のトナー容器４１と連結される。被連結部９０Ａの左側に配置された被連結部９０Ｂ，９０Ｃ，９０Ｄは、それぞれ、イエロー、シアン、マゼンタの各色に対応するトナー容器４１と連結される。
【００５０】
駆動伝達部９３は、筐体１１内のモーターなどの駆動源から回転駆動力を受けて、トナー容器４１のギヤ５４に回転駆動力を伝達する。各駆動伝達部９３は、取付面９２から垂直に突出する回転軸の先端に取り付けられたギヤ９８を有する。
【００５１】
駆動伝達部９３Ａは、被連結部９０Ａの近傍に設けられており、収容部４４Ａに黒色用のトナー容器４１が装着された状態で、ギヤ９８がギヤ５４に連結される。駆動伝達部９３Ｂは、被連結部９０Ｂの近傍に設けられており、収容部４４Ｂにトナー容器４１が装着された状態で、ギヤ９８がギヤ５４に連結される。また、駆動伝達部９３Ｃは、被連結部９０Ｃと被連結部９０Ｄとの間に設けられており、収容部４４Ｃ及び収容部４４Ｄそれぞれにトナー容器４１が装着された状態で、それぞれのギヤ９８が各トナー容器４１のギヤ５４に連結される。
【００５２】
図８は、連結支持部４５が備える被連結部９０Ａを示す斜視図であり、図９は、被連結部９０Ａを前方から見た正面図である。４つの被連結部９０（９０Ａ〜９０Ｄ）それぞれは、同じ形状に形成されており、同じ構成を有しているため、以下においては、各色に対応する各被連結部９０を代表して、黒色に対応する被連結部９０Ａについて説明する。図８に示されるように、被連結部９０Ａは、フレーム９１の取付面９２に固定された固定部９５に設けられている。被連結部９０Ａは、４つの変位部材１００（本発明の接触端子の一例）と、４つの干渉部材１０１と、係合孔９６とを有する。
【００５３】
図８及び図９に示されるように、被連結部９０Ａは、概ね扇形状にベースプレート９４を有しており、その中央に円形の係合孔９６が形成されている。係合孔９６は、カバー部材５６の端面５９Ａに設けられた位置決め用の突起８８が挿入される部分である。連結部８０Ａが被連結部９０Ａに連結した時に、突起８８が係合孔９６に挿入可能となる。
【００５４】
干渉部材１０１は、被連結部９０Ａにおいて予め定められた８箇所の位置Ｐ１１〜Ｐ１８のいずれかに設けられている。干渉部材１０１は、被連結部９０Ａのベースプレート９４の裏面側に設けられている。具体的には、被連結部９０Ａは、ベースプレート９４の裏面側に取り付けられた支持部材９７を有しており、干渉部材１０１は、支持部材９７に一体に形成されている。
【００５５】
位置Ｐ１１〜Ｐ１８は、係合孔９６を中心とする円の円周上に定められている。つまり、位置Ｐ１１〜Ｐ１８は、位置Ｐ１〜Ｐ８と同様に、被連結部９０Ａにおいて前記円周上に沿って円弧状に配置されている。本実施形態では、位置Ｐ１１〜Ｐ１８は、４つの被連結部９０それぞれにおいて同じ位置であり、係合孔９６の中心を基準にして等角度間隔を隔てて前記円周上に定められている。図９に示される例では、カバー部材５６の端面５９Ａにおける位置Ｐ１に対応して位置Ｐ１１が定められており、その位置Ｐ１１からＣＷ方向（時計回転方向）へ等角度間隔で位置Ｐ１２〜Ｐ１８が定められている。図９に示されるように、位置Ｐ１１〜Ｐ１８は、係合孔９６の中心を通る鉛直線を基準に左右対象となるように定められている。収容部４４Ａにトナー容器４１Ａが装着されたときに、位置Ｐ１が位置Ｐ１１に対向し、位置Ｐ２が位置Ｐ１２に対向する。また、位置Ｐ３〜Ｐ８それぞれは、位置Ｐ１３〜Ｐ１８それぞれに対向する。
【００５６】
本実施形態では、被連結部９０Ａにおいて、４つの干渉部材１０１は、互換キー８１と干渉しない位置、つまり、位置Ｐ１１〜Ｐ１８のうち、位置Ｐ１２，Ｐ１４，Ｐ１６，Ｐ１８に設けられている。後述するように、位置Ｐ１１〜Ｐ１８それぞれに貫通孔１１１〜１１８（本発明の第２挿入口の一例）が形成されている。４つの干渉部材１０１は、位置Ｐ１１〜Ｐ１８に対応する貫通孔１１１〜１１８のうち、連結部８０と被連結部９０との連結時に、互換キー８１が挿入されない貫通孔１１２，１１４，１１６，１１８の裏面側に、各貫通孔を閉塞するように設けられている。これにより、被連結部９０Ａに対応する装着互換性を有するトナー容器４１Ａが収容部４４Ａに挿入されると、干渉部材１０１を有しない位置Ｐ１１，Ｐ１３，Ｐ１５，Ｐ１７に互換キー８１が配置されるため、干渉部材１０１によってトナー容器４１Ａの装着が阻止されることなく、トナー容器４１Ａが収容部４４Ａに装着される。
【００５７】
なお、仮に、位置Ｐ２，Ｐ４，Ｐ６，Ｐ８のいずれか一つに互換キー８１を有するトナー容器４１が収容部４４Ａに挿入された場合は、互換キー８１の先端が何れかの干渉部材１０１に当接する。このため、トナー容器４１は、それ以上挿入できなくなり、収容部４４Ａにおいて当該トナー容器４１の装着が阻止される。つまり、このようなトナー容器４１は、収容部４４Ａに対して装着互換性を有しない。
【００５８】
ところで、装着互換性を有しないトナー容器４１が容器装着部４２の収容部４４に挿入されたときに、収容部４４の前記装着位置までトナー容器４１が挿入される場合がある。例えば、非互換構造を実現するための互換キー８１が折損するなどして失われた場合は、収容部４４にトナー容器４１が挿入可能となる。この場合、トナーの種類が異なる他のトナー容器や、トナー排出口７４の位置が異なる他のトナー容器などのような非互換のトナー容器（別種類のトナー容器）が、互換キー８１が失われた状態で収容部４４に装着されると、不適合なトナーが現像装置２３に補給されたり、或いは、トナーが現像装置２３の補給口へ供給されずに収容部４４がトナーで汚れたりするおそれがある。これに対して、画像形成装置１０では、互換キー８１を有しないトナー容器４１が収容部４４に挿入された場合でも、前記装着位置までトナー容器４１が挿入されないように構成されている。
【００５９】
本実施形態では、ベースプレート９４において、位置Ｐ１１〜Ｐ１８それぞれに貫通孔１１１〜１１８が形成されている。つまり、貫通孔１１１〜１１８は、係合孔９６を囲むようにその周囲に形成されている。貫通孔１１１〜１１８は、互換キー８１の総数（４つ）よりも多く形成されており、本実施形態では８つ形成されている。
【００６０】
貫通孔１１１〜１１８は、係合孔９６から径方向外側へ長い形状に形成された長孔であり、係合孔９６側の部分の幅よりも径方向外側の部分の幅が大きい。つまり、貫通孔１１１〜１１８は、係合孔９６側の細幅部１１９Ａと、径方向外側の広幅部１１９Ｂとを有する。貫通孔１１１〜１１８は、互換キー８１が挿入される部分であり、互換キー８１が挿入可能な形状及びサイズに形成されている。より詳細には、貫通孔１１１〜１１８の細幅部１１９Ａが互換キー８１が挿入される部分である。４つの互換キー８１は、貫通孔１１１〜１１８のうちのいずれかに選択的に挿入される。具体的には、連結部８０Ａが被連結部９０Ａに連結した時に、４つの互換キー８１は、貫通孔１１１〜１１８のうち各互換キー８１に対応する貫通孔１１１，１１３，１１５，１１７に挿入される。
【００６１】
図８に示されるように、変位部材１００は、貫通孔１１１，１１３，１１５，１１７それぞれに設けられている。つまり、連結部８０は、４つの変位部材１００を有している。詳細には、変位部材１００は、貫通孔１１１，１１３，１１５，１１７に挿通された状態で、各貫通孔１１１，１１３，１１５，１１７の長手方向へ変位可能に支持されている。貫通孔１１１〜１１８は、全て同じ形状であるため、変位部材１００は、いずれの貫通孔にも取付可能であるが、本実施形態では、変位部材１００は、４つの互換キー８１が挿入される位置であって、互換キー８１の位置に対応した位置（本発明の対応位置の一例）に形成された貫通孔１１１，１１３，１１５，１１７だけに設けられており、他の貫通孔１１２，１１４，１１６，１１８には設けられていない。以下、貫通孔１１１，１１３，１１５，１１７を総称して貫通孔１１１Ａと称する。
【００６２】
変位部材１００は、貫通孔１１１Ａに変位可能に設けられている。具体的には、変位部材１００は、貫通孔１１１Ａにおいて、後述の第１位置と第２位置との間で変位可能である。ここで、前記第１位置は、連結部８０と被連結部９０とが非連結状態にあるときに、係合孔９６の内側へ突出して、係合孔９６への突起８８の挿入を阻止する位置である。また、前記第２位置は、連結部８０と被連結部９０とが連結状態にあるときに、貫通孔１１１Ａに互換キー８１が挿入されたことにより互換キー８１から力を受けて押圧されて、係合孔９６から退避して、係合孔９６への突起８８の挿入を許容する位置である。
【００６３】
図１０に示されるように、変位部材１００は、合成樹脂で成形されたものであり、本体部１２１と、ストッパー部１２２と、弾性部１２３と、係止部１２４と、を有し、これらが一体に構成されたものである。本体部１２１は、概ね長方形状に形成されており、その中央に、本体部１２１の長手方向に長い長孔１２５が形成されている。長孔１２５は、本体部１２１を貫通している。本体部１２１は、ベースプレート９４の裏面側において、ベースプレート９４と支持部材９７との間に形成された隙間に配置されており、前記隙間において貫通孔１１１Ａの長手方向へ移動可能に支持されている。
【００６４】
本実施形態では、本体部１２１は、本体部１２１の長孔１２５が貫通孔１１１Ａの細幅部１１９Ａと連続するように配置されている。このため、互換キー８１が貫通孔１１１Ａの細幅部１１９Ａに挿入されてベースプレート９４の裏面側まで進入すると、続いて、互換キー８１は、本体部１２１の長孔１２５に進入する。長孔１２５の外周縁には、互換キー８１の進入を円滑にするために、テーパー状の傾斜縁１２５Ａが設けられている。
【００６５】
ストッパー部１２２は、本体部１２１の長手方向の一端に設けられている。ストッパー部１２２は、変位部材１００が前記第１位置に配置された状態で、ベースプレート９４の裏面側において係合孔９６の内側へ突出する部分である。つまり、ストッパー部１２２は、係合孔９６に突起８８が挿入された場合に、変位部材１００が前記第１位置に配置された状態で係合孔９６の内側へ突出することにより、突起８８と当接して、突起８８がそれ以上係合孔９６の奥側へ進入することを阻止する。
【００６６】
ストッパー部１２２の先端部の上面には、斜め上方へ向けて傾斜した傾斜部１２２Ａが形成されている。突起８８の突出端の中央には、断面円形状の凹陥部８８Ａ（
図１１参照）が形成されている。このため、突起８８の先端がストッパー部１２２に当接すると、ストッパー部１２２の傾斜部１２２Ａが凹陥部８８Ａの周縁に引っ掛かり、突起８８が係合孔９６の奥側へ進入することを効果的に阻止することができる。
【００６７】
弾性部１２３は、本体部１２１の長手方向の他端に設けられている。つまり、弾性部１２３は、本体部１２１において、ストッパー部１２２とは反対側の端部に設けられている。弾性部１２３は、本体部１２１の下面から下方へ突出して、その後に上方へ屈曲して、本体部１２１の上面よりも上側へ延出したアーム状部材であり、細幅板状に形成されている。このため、弾性部１２３は、本体部１２１の移動方向（長手方向）と同じ方向へ弾性的に伸縮可能な板バネとして作用する。弾性部１２３の延出方向の端部に係止部１２４が設けられている。弾性部１２３は、本体部１２１がベースプレート９４と支持部材９７との間の隙間に支持された状態で、貫通孔１１１Ａの広幅部１１９Ｂを上方へ抜けるように挿通されており、係止部１２４は、広幅部１１９Ｂの径方向外側の縁部１１９Ｃに引っ掛けるように係止している。変位部材１００に弾性部１２３が設けられているため、弾性部１２３の伸縮の範囲内で、本体部１２１の移動とともにストッパー部１２２が前記第１位置と前記第２位置との間で変位可能となる。
【００６８】
弾性部１２３は、外力が加えられていない状態で、ストッパー部１２２を前記第１位置側へ弾性付勢している。言い換えると、弾性部１２３は、ストッパー部１２２を係合孔９６の内側へ向かう方向へ弾性付勢している。弾性部１２３の付勢によって、変位部材１００は、外力が加えられていない状態で、ストッパー部１２２が係合孔９６の内側に配置された前記第１位置を維持する。一方、後述するように、貫通孔１１１Ａに互換キー８１が挿入されると、その挿入時に径方向外側の押圧力を受けて、本体部１２１が径方向外側へ移動して、ストッパー部１２２が前記第２位置に変位する。
【００６９】
以下、図１１及び図１２を参照して、連結部８０が被連結部９０に連結されるときの連結動作とともに、変位部材１００の動作について説明する。ここで、図１１、図１２（Ａ）、及び図１２（Ｂ）の被連結部９０の断面図は、位置Ｐ１２と位置Ｐ１７を通る切断面で切断したときの断面図である。
【００７０】
トナー容器４１が、当該トナー容器４１の種類に対応する適切な収容部４４に挿入されると、図１１に示されるように、連結部８０が被連結部９０に対向しつつ被連結部９０へ近づく。そして、トナー容器４１が更に挿入されて、４つの互換キー８１が各貫通孔１１１，１１３，１１５，１１７に挿入されると、互換キー８１の先端部のテーパー部８２が変位部材１００の長孔の周縁の傾斜縁１２５Ａに当接する。互換キー８１の先端が傾斜縁１２５Ａに当接した状態では、突起８８は係合孔９６には達していない。
【００７１】
トナー容器４１が更に挿入方向へ押し込まれると、テーパー部８２は、傾斜縁１２５Ａに当接しつつ、傾斜縁１２５Ａを径方向外側（図１２（Ａ）の矢印Ｄ３１で示す方向）へ押圧する。傾斜縁１２５Ａがこの押圧力を受けると、本体部１２１が弾性部１２３の弾性付勢力に抗して前記径方向外側へ移動し、この移動に伴い、ストッパー部１２２が同方向へ移動する。また、弾性部１２３が前記押圧力を受けて圧縮される。これにより、前記第１位置に配置されていたストッパー部１２２が前記径方向外側へ移動して、前記第２位置に配置される。つまり、ストッパー部１２２は、互換キー８１の挿入時の押圧力を受けて、前記第１位置から前記第２位置に変位する。本実施形態では、貫通孔１１１，１１３，１１５，１１７に設けられた全ての変位部材１００が、上述したように前記第１位置から前記第２位置へ移動する。
【００７２】
その後、更にトナー容器４１が挿入方向へ押し込まれると、ストッパー部１２２が退避した係合孔９６に向かって突起８８が挿入される。これにより、トナー容器４１が所定の装着位置まで挿入することが可能となる。なお、トナー容器４１が収容部４４から引き抜かれて、連結部８０が被連結部９０から離間すると、弾性部１２３が伸張して元の状態に戻るとともに、本体部１２１が係合孔９６側へ移動して、その結果、ストッパー部１２２が前記第１位置へ戻される。
【００７３】
一方、トナー容器４１が、当該トナー容器４１の種類に対応していない不適切な収容部４４に挿入された場合は、例えば、図１３（Ａ）に示されるように、互換キー８１が貫通孔１１２に挿入される。この場合、貫通孔１１２には干渉部材１０１が設けられているため、互換キー８１の先端が貫通孔１１２を通過したとしても、その後、互換キー８１の先端が干渉部材１０１に当接するため、トナー容器４１は、それ以上挿入できなくなり、収容部４４Ａにおいて当該トナー容器４１の装着が阻止される。この場合、ストッパー部１２２が前記第１位置に配置されているため、突起８８がストッパー部１２２に当接し、これによってもトナー容器４１の挿入が拒まれる。
【００７４】
また、トナー容器４１が、当該トナー容器４１の種類に対応する適切な収容部４４に挿入された場合であっても、そのトナー容器４１の互換キー８１が折損するなどして失われている場合は、図１３（Ｂ）に示されるように、ストッパー部１２２が前記第１位置に配置されているため、突起８８がストッパー部１２２に当接し、トナー容器４１は、それ以上挿入できなくなる。これにより、収容部４４Ａにおいて当該トナー容器４１の装着が阻止される。
【００７５】
このように、連結部８０及び被連結部９０が構成されているため、連結部８０の互換キー８１及び突起８８と、被連結部９０の貫通孔１１１Ａ、変位部材１００、及び係合孔９６とによって、非互換構造を実現することができ、また、不適合なトナー容器４１の装着を防止することができる。
【００７６】
なお、上述の実施形態では、黒、イエロー、シアン、マゼンタの各色の４つのトナー容器４１に対応する連結部８０及び被連結部９０が同じ構成である例について説明したが、本発明はこれに限られない。例えば、画像形成装置１０において、各色のトナー容器４１それぞれについて、連結部８０及び被連結部９０を異なる構成としてもよい。具体的には、各色に対応する連結部８０それぞれにおいて、互換キー８１の位置を異ならせ、また、被連結部９０においても、互換キー８１が挿入可能な貫通孔を異ならせる。このような構成であれば、例えば、黒色のトナー容器４１を他の色の収容部４４に誤って挿入した場合でも、装着位置まで挿入することが阻止される。これにより、別の色のトナーが現像装置２３に補給されることが防止できる。
【００７７】
また、上述の実施形態では、連結部８０に４つの互換キー８１を設け、被連結部９０に複数の貫通孔１１１〜１１８を設ける構成を例示したが、互換キー８１は、連結部８０に少なくとも一つあればよく、また、貫通孔も被連結部９０に少なくとも一つあれば十分である。
【００７８】
なお、上述の実施形態では、本発明の一実施形態として、トナー容器４１及び容器装着部４２を備える画像形成装置１０を例示したが、本発明は、トナー容器４１が装着可能な容器装着部４２を備える画像形成装置として捉えることもできる。また、本発明は、容器装着部４２に着脱可能に構成されたトナー容器４１として捉えることもできる。
【符号の説明】
【００７９】
１０：画像形成装置
４０：トナー補給装置
４１：トナー容器
４２：容器装着部
４４：収容部
５６：カバー部材
８０：連結部
８１：互換キー
８８：突起
９０：被連結部
９６：係合孔
１００：変位部材
１０１：干渉部材
１１１〜１１８：貫通孔
１２２：ストッパー部
１２３：弾性部
【図１】
2018091926.tif 000003
【図２】
2018091926.tif 000004
【図３】
2018091926.tif 000005
【図４】
2018091926.tif 000006
【図５】
2018091926.tif 000007
【図６】
2018091926.tif 000008
【図７】
2018091926.tif 000009
【図８】
2018091926.tif 000010
【図９】
2018091926.tif 000011
【図１０】
2018091926.tif 000012
【図１１】
2018091926.tif 000013
【図１２】
2018091926.tif 000014
【図１３】
2018091926.tif 000015